(57)【要約】【課題】保管チャンバを具えるストッカを提供する。【解決手段】保管チャンバは、複数の保管コンパートメントと、保管チャンバ内に配置されているロボットハンドラユニットと、ファンフィルタユニットと、を具え、保管コンパートメントは、基板を保管するように構成され、ロボットハンドラユニットは、保管コンパートメント内の基板にアクセスするように動作可能であり、保管コンパートメントは、保管チャンバ内のロボットハンドラユニットの周りで、円形の構成で配置され、基板は、ロボットハンドラの近くの２枚の基板間の間隔はより小さく、ロボットハンドラから遠い２枚の基板間の間隔はより大きいという楔形の構成で保管され、ファンフィルタユニットは、クリーンな空気を、保管コンパートメントからロボットハンドラユニットの方に水平に、保管コンパートメント内に保管される基板を通過して送出するように構成され、楔形の構成は、よりクリーンな気流をロボットハンドラの近くで提供するように動作可能である。【選択図】図１
2014033222.tif 000002
【特許請求の範囲】
【請求項１】
保管チャンバを具えるストッカであって、
前記保管チャンバは、
複数の保管コンパートメントと、
前記保管チャンバ内に配置されているロボットハンドラユニットと、
ファンフィルタユニットと、
を具え、
前記保管コンパートメントは、基板を保管するように構成され、
前記ロボットハンドラユニットは、前記保管コンパートメント内の前記基板にアクセスするように動作可能であり、
前記保管コンパートメントは、前記保管チャンバ内の前記ロボットハンドラユニットの周りで、円形の構成で配置され、
前記基板は、前記ロボットハンドラの近くの２枚の基板間の間隔はより小さく、前記ロボットハンドラから遠い前記２枚の基板間の間隔はより大きいという楔形の構成で保管され、
前記ファンフィルタユニットは、クリーンな空気を、前記保管コンパートメントから前記ロボットハンドラユニットの方に水平に、前記保管コンパートメント内に保管される前記基板を通過して送出するように構成され、
前記楔形の構成は、よりクリーンな気流を前記ロボットハンドラの近くで提供するように動作可能である、
ストッカ。
【請求項２】
前記複数の保管コンパートメントは、複数の垂直のセクションに配置され、
前記ファンフィルタユニットは、複数のレベルの清浄度を、前記保管コンパートメントの前記複数の垂直のセクションに提供するようにさらに構成されている、
請求項１に記載のストッカ。
【請求項３】
前記保管コンパートメントの各々は、他の保管コンパートメントから分離され、
前記ファンフィルタユニットは、前記クリーンな空気の各流れが１つの保管コンパートメントを通過し、保管コンパートメント間の相互汚染を最小化するようにさらに構成されている、
請求項１に記載のストッカ。
【請求項４】
前記ファンフィルタユニットは、前記クリーンな空気の各流れが１枚の基板に当たり、基板間の相互汚染を最小化するように構成されている、
請求項１に記載のストッカ。
【請求項５】
前記ファンフィルタユニットは、前記クリーンな空気を前記保管チャンバの一番下に送るように構成されている、
請求項１に記載のストッカ。
【請求項６】
前記基板は、垂直方向に保管され、
前記ロボットハンドラユニットは、前記垂直に保管された基板を扱うエッジグリップを具える、
請求項１に記載のストッカ。
【請求項７】
保管チャンバを具えるストッカであって、
前記保管チャンバは、
複数の保管コンパートメントと、
前記保管チャンバ内に配置されているロボットハンドラユニットと、
ファンフィルタユニットと、
を具え、
前記保管コンパートメントは、基板を保管するように構成され、
前記保管コンパートメントの各々は、他の保管コンパートメントから分離され、
前記ロボットハンドラユニットは、前記保管コンパートメント内の前記基板にアクセスするように動作可能であり、
前記ファンフィルタユニットは、クリーンな空気を、前記保管コンパートメントから前記ロボットハンドラユニットの方に水平に、前記保管コンパートメント内に保管される前記基板を通過して送出するように構成され、
前記ファンフィルタユニットは、前記クリーンな空気を前記保管チャンバの一番下に送るように構成され、
前記ファンフィルタユニットは、高い圧力を前記保管チャンバ内に提供するように構成され、
前記ファンフィルタユニットは、前記クリーンな空気の各流れが１つの保管コンパートメントを通過し、保管コンパートメント間の相互汚染を最小化するように構成され、
前記ファンフィルタユニットは、前記クリーンな空気の各流れが１枚の基板に当たり、基板間の相互汚染を最小化するように構成されている、
ストッカ。
【請求項８】
前記基板は、前記ロボットハンドラの近くの２枚の基板間の間隔はより小さく、前記ロボットハンドラから遠い前記２枚の基板間の間隔はより大きいという楔形の構成で保管されている、
請求項７に記載のストッカ。
【請求項９】
前記複数の保管コンパートメントは、複数の垂直のセクションに配置され、
前記ファンフィルタユニットは、複数のレベルの清浄度を、前記保管コンパートメントの前記複数の垂直のセクションに提供するようにさらに構成されている、
請求項７に記載のストッカ。
【請求項１０】
前記基板は、垂直方向に保管され、
前記ロボットハンドラユニットは、前記垂直に保管された基板を扱うエッジグリップを具える、
請求項７に記載のストッカ。
【発明の詳細な説明】
【技術分野】
【０００１】
本願は、２００７年６月９日出願の米国特許明細書第１１／８１１，３７２号、２００６年１１月１５日出願の米国仮出願第６０／８５９，２０２号、発明の名称「環状に配置されているワークピースストッカ」および２００６年６月９日出願のドイツ連邦共和国特許明細書第１０  ２００６  ０２８  ０５７．１号、発明の名称「汚染に敏感なディスク状のアーティクル、殊に半導体ウェハを保管するための装置」の優先権を主張するものであり、それらの開示内容は参照により本願に取り入れられる。
【０００２】
本発明は、対象を保管および搬送するための装置および方法に関し、より詳細には、半導体ウェハ、レチクルまたはキャリアボックスのためのストッカのようなワークピースストッカに関する。
【背景技術】
【０００３】
背景技術
ストッカは一般的にワークピース、例えばウェハ、フラットパネルディスプレイ、ＬＣＤ、フォトリソグラフィレチクルまたはマスクなどを一時的に保管するために半導体製造設備内に設置されている。半導体デバイス、ＬＣＤパネルなどの製造プロセスにおいては数百の処理装置が存在し、したがって数百の製造ステップが存在する。ステップ毎またツール毎にウェハ、フラットパネルまたはＬＣＤ（以下ではこれらをワークピースと称す）の流れに関してばらつきをなくすことは困難である。プランナが最高であっても、ツールの故障、緊急のロットの提供、計画よりも長く続く周期的なメンテナンスなどの予期せぬシナリオは常に存在するので、所定のツールに関する所定のステップにおいてワークピースが様々に蓄積される。蓄積されたワークピースをストッカに保管し、処理されるまで待機させなければならなくなる。
【０００４】
さらには、多数のフォトリソグラフィマスクまたはレチクル（これらを以下ではレチクルと称する）を有している半導体製造設備においてフォトリソグラフィ処理は非常に重要な処理である。したがって通常の場合、レチクルはストッカに保管されており、必要に応じてリソグラフィ露光装置に運ばれる。
【０００５】
ワークピースおよびレチクル（これらを以下ではアーティクルと称する）の保管は清浄度の要求に基づき一層複雑になる。アーティクルの損傷として粒子による物理的な損傷または汚染による化学的な損傷が考えられる。半導体デバイスのクリティカルディメンジョン（ＣＤ）は０．１ミクロンを上回るので、０．１ミクロンの大きさの粒子および反応活性種のアーティクルへの接近を阻止することが必要となる。一般的に、処理間のより少ないクリーニングを保証するために、保管領域は処理設備よりも一層クリーンであることが必要とされる。
【０００６】
したがって通常の場合、ストッカ保管領域は外部の環境に対して密閉されており、有利には一定のパージングが用いられ、さらには起こり得る化学反応を阻止するために不活性のガス流も用いられる。保管領域へのアクセスはクリーンな保管環境と外部環境との隔離を保証するためにロードロック方式である。
【発明の概要】
【課題を解決するための手段】
【０００７】
発明の概要
本発明は、製造設備においてワークピースを保管するための改善されたストッカ、殊に半導体処理のためのウェハストッカまたはレチクルストッカに関する。１つの実施例においては、ワークピースがロボット把持アセンブリの周囲に、有利には環状に固定的に保管されている。この構成においては、３つの自由度を有するように、例えば半径方向の運動、回転運動、垂直方向の運動をするようにロボットハンドラを設計することができ、これにより速度およびスループットを改善することができる。３つの自由度を有するロボットは最小限の粒子しか生じないように良好に設置されており、したがってこの構成によりワークピースの保管に関してクリーンな環境を提供することができる。さらにストッカ保管領域は固定式であり、移動可能な複数のコンポーネントはロボットアセンブリであるので、これは保管ストッカのクリーンな環境にさらに寄与する。
【０００８】
１つの実施形態において、ストッカには、アクセスを容易にするために裸で保管されているワークピースを有する開放された保管領域が設けられている。裸のワークピースを保管することによりアクセスが速くなり、空間が節約され、またクリーンな空気のパージングが容易になる。ロボット把持アセンブリの周囲に配置されており、また垂直方向にも配置されている複数の開放式のコンパートメントを備えるように保管領域を構成することができる。
【０００９】
１つの実施形態において、ストッカは垂直の状態または水平の状態でワークピースを高密度に保管することができる。ストッカには周端グリップロボット把持アセンブリが設けられており、このロボット把持アセンブリはワークピースにアクセスし、周端部からワークピースを取り出し、したがって密にワークピースを保管することができる。
【００１０】
保管領域は中心に向かって、例えばロボット把持システムに向かって内向きに空気を流すクリーンエア供給システムを有することができる。このように内向きに空気を流すことにより粒子による汚染は低減される。何故ならば、クリーンな気流の上流側では粒子が発生しないからである。さらには、保管領域を清浄度に基づき複数のセクション、例えば非常に高い清浄度で保管するための上段セクション、通常の清浄度で保管するための中段セクションおよび低い清浄度で保管するための下段セクションに分割することができる。それらのセクション間の相互汚染が最小になるように空気の流れを設計することができる。
【図面の簡単な説明】
【００１１】
【図１】発明によるストッカの実施例を示す。
【図２】コンテナを手動で引き出すためにドアが開かれた状態のストッカの実施例を示す。
【図３】ストッカ用のコンテナの断面図（図４における線分ＩＩＩ−ＩＩＩ）を示す。
【図４】コンテナの別の図を示す。
【図５】ロボット把持アセンブリユニットの平面図を示す。
【図６】ロボット把持ユニットの側面図を示す。
【図７】発明によるストッカの別の実施例の平面図を示す。
【図８】発明によるストッカの別の実施例の平面図を示す。
【図９】２つの位置にロボットが設けられているストッカの実施例の側面図を示す。
【図１０】クリーンなガス流形成部を有するストッカの実施例の側面図を示す。
【図１１】別の例示的なストッカの平面図を示す。
【図１２】別の例示的なストッカの側面図を示す。
【図１３】別の例示的なコンテナの平面図を示す。
【図１４】別の例示的なストッカの側面図を示す。
【発明を実施するための形態】
【００１２】
詳細な説明
本発明の１つの実施例によるストッカは半導体ウェハおよびレチクルのような汚染に敏感なウェハ形状のアーティクルを保管するために設計されている。そのように設計されたストッカは有利には空間を節約した保管およびフレキシブルな把持を実現するために構成されている。殊に、ストッカはクリーンな状況下にある小さい保管空間において３００ｍｍ以上の大きさのウェハを多数保管することに適している。
【００１３】
１つの実施形態においてストッカには、クリーンな保管領域内に開放的に保管することができる半導体ウェハのようなアーティクルがロボット把持アセンブリと共に設けられている。したがってロボット把持ユニットは非常に迅速に個々のアーティクルにアクセスすることができ、それらのアーティクルをキャリアボックスから取り出し、またキャリアボックスに配置することができる。開放式の保管コンセプトにより小さいフットプリントでも高密度の保管が達成される。
【００１４】
相互汚染の危険を低減するために、開放式の保管部をコンパートメントに区画化することができる。コンパートメントはキャリアラックに固定されている複数の保管コンテナを有することができる。キャリアラック、保管コンテナ、コンパートメントおよびアーティクルの固定は生じた粒子の動きを防止し、したがって摩耗、移動および相互汚染的な気流によって粒子が発生する危険を低減する。
【００１５】
保管コンテナは有利には開放式のボックス状のコンテナとして成形されており、ロボット把持ユニットは保管コンテナへのアーティクルの差し込みおよび保管コンテナからのアーティクルの取り出しに最適に適合させることができる。有利な実施形態においては、コンテナが、アーティクル、例えば半導体ウェハを５ｍｍ以下、有利には約２．５ｍｍ以下の間隔でより高い密度で保管するために設計されている。保管コンテナはロボット把持ユニットを包囲するような棚状の構成で、有利には略環状に配置されている。保管コンテナをＸＹアレイで配置することもでき、この場合には棚の開放部がアーティクルを搬送するためのロボットメカニズムと対面する。固定のストッカは、各々が複数のアーティクルを保管する、垂直方向および水平方向に間隔をあけて設けられている複数の棚を有する。またこれらの棚を複数のコンテナの保管のために設計することができ、それらのコンテナ内に複数のアーティクルが保管される。
【００１６】
この構成により空間を節約した配置構成を提供することができ、またそれと同時に大きい保管容量も提供することができる。さらにこの構成においては保管されているアーティクルに非常に迅速にアクセスすることができる。保管コンテナの環状の配置の殊に有利な構成は、ＳＣＡＲＡロボットのような３つの自由度を有するロボットに非常に適している。ロボットは関節アームを有し、この関節アームは水平面において中心点について回転し、且つ半径方向に移動する。ロボットは６軸ロボットであってもよい。
【００１７】
ロボットアセンブリはオートメーション、殊に製造設備および製造装置においては重要な構成要素である。例えば、半導体工場においては、ロボットアームが半導体ウェハ、フラットパネルディスプレイ、ＬＣＤ、レチクル、マスクまたはキャリアボックスを把持するために使用される。
【００１８】
半導体製造設備においては、通常の場合キャリアボックスに保管されているワークピースをある場所から別の場所、またある装置から別の装置に運ぶためにロボットを使用することができる。処理システムにおいては、ロボットが典型的にはキャリアボックスからワークピースを取り外し、ロードロックに積み込むために使用される。別のロボットをワークピースのロードロックから処理チャンバへの移動、またある処理チャンバから別の処理チャンバへの移動のために使用することができる。したがって処理システム内には、それぞれが特定のタスクのために設計されている複数のロボットが存在することも考えられる。処理システムとしてデポジションシステム、エッチングシステム、リソグラフィシステム、計測システム、検査システム、注入システム、処理システムまたはいずれかのワークピース処理システムが考えられる。
【００１９】
一般的に、ロボット把持アセンブリは真空システムと大気システムとでは異なる。必要とされるまでワークピースを保管するよう設計されているストッカは通常では大気システムであり、ロボットは通常の場合キャリアボックスからワークピースを取り出し、ロードロックに積み込むために使用される。別のロボットをワークピースのロードロックから保管チャンバへの移動に使用することができ、ワークピースはオリジナルのキャリアボックスを要とすることなく保管される。ボックスストッカシステムに関しては、ワークピースがキャリアボックスと一緒に保管されるので、キャリアボックスからワークピースを取り外す必要はない。
【００２０】
ロボットメカニズムはアーティクルを固定のストッカ内に移動させるため、またアーティクルを固定のストッカから移動させるために関節アームジョイントを有することができる。さらにロボットアームアセンブリは、ストッカの棚に達するよう設計されているフレキシブルな多重連結メカニズムを有する。アームアセンブリはストッカの整列されている空間に達するために半径方向に移動し且つ回転する独立した可動部を有することができる。
【００２１】
本発明のストッカには、ロボット把持デバイスの周囲に実質的に環状のキャビネットを形成する保管コンテナが設けられている。ロボットアセンブリは有利には固定式であり、アーティクルを移送するために固定のストッカの内部に達する関節ジョイントアームを有する。
【００２２】
ロボットを例えば環状に包囲するストッカの配置構成により真空ロボットの使用が可能になり、したがってロボットアセンブリがストッカ保管領域において粒子を生じさせることは殆ど無い。さらにストッカは外部環境からの隔離のためにロードロックステーションを有する。この構成によりロボットの放射状の経路内にアーティクルを保管することができ、したがってアーティクルを迅速に取り出し、また迅速に配置することができる。さらに、ロボット把持アセンブリの制御は非常に単純化され、またプログラミングされている。
【００２３】
保管されているアーティクルを環状に配置することができ、したがって表面の内側の間隔は外側の間隔に比べて狭くなる。この場合、アーティクルは保管コンテナ内に相互にＶ字状に配置されているので、外側から内側へのクリーンなガス流によってアーティクルを効果的にクリーニングすることができる。
【００２４】
ロボット把持ユニットは垂直な保管コンテナにアクセスするための垂直方向可動部を有する。ストッカはコンテナにアーティクルを移送するため、またはコンテナからアーティクルを移送するための別のロボット把持ユニットを有することもできる。ストッカはアーティクルコンテナの後方にアクセスするための後部ドアを有することができる。後部ドアにより、システムクラッシュのような緊急時にアーティクルにアクセスすることができる。ストッカはコンテナに向かう連続的なクリーンなガス流を形成するための送風機を有することができ、有利には汚染物質を効果的に下方に向かって流す。
【００２５】
ストッカ１０の実施例が図１および図２に示されている。ストッカ１０はハウジング１２を有し、このハウジング１２内にはロボット把持ユニット１４と、複数のアーティクルコンテナ１８を支持するためのキャリアラック１６とが収容されている。ハウジング１２はロボット把持ユニット１４、キャリアラック１６およびコンテナ１８を包囲し、クリーンな環境のための完全なエンクロージャを形成する。ハウジング１２内において頂部から底面へのクリーンな空気の流れを形成するために、ハウジングの頂部に送風機およびフィルタ（図示せず）を設けることができる。
【００２６】
各コンテナ１８は汚染に敏感な複数のアーティクルを保管するために設計されている。有利な実施形態においてアーティクルは半導体ウェハである。これらの半導体ウェハをコンテナ１８内に垂直に保管することができる。１つの実施例において、各コンテナは３００ｍｍのウェハを１００個保管することができる。保管されているウェハの間隔を最小で２．５ｍｍにすることができる。
【００２７】
ロボット把持ユニット１４はハウジング１２の角に配置されており、半径方向および垂直方向への運動および回転運動をするロボットであるか、６軸ロボットである。コンテナ１８を有するキャリアラック１６はロボット把持ユニット１４を包囲するようにＣ字型の形状を有する。図２においては、ハウジング１２の後部からコンテナ１８に手動でアクセスするために、ハウジング１２のサイドパネルに２つのドア２２が設けられている。また図２にはキャリアラックから取り外されたコンテナ１８’がドア２２の近傍に示されている。外部の汚染物質にさらされることを阻止するために、コンテナ１８’が引き出される前に、可動のクリーン領域および適切なエンクロージャ（図示せず）を用意することができる。
【００２８】
さらにストッカ１０はウェハ２０をアライメントするためのプリアライナ２８を有することができる。ウェハ２０をＦＯＵＰ３２が接続されるドア３０の近傍におけるプリアライナ２８に配置することができるか、プリアライナ２８から取り出すことができる。
【００２９】
図３および図４はコンテナ１８の実施例を示し、このコンテナ１８は後部壁３８、底部壁４０および２つのサイドパネル４２，４４を有する。有利には、後部壁３８および底部壁４０にはウェハ２０を斜めに横切るクリーンな空気の流れを解放するための開放部が設けられている。空気の流れ４８は個々のウェハ２０間を通り、存在するあらゆる粒子および外部物質がコンテナ１８から斜め下方に向かって除去されることを保証する。
【００３０】
コンポーネント１８内には、スプリット５０，５２，５４，５６を有する櫛状の４つのコンポーネントが配置されている。スプリット５０〜５６はその後方および側方によってウェハを保持するように配置されており、これによりロボット把持ユニット１４はウェハを取り外すことができる。
【００３１】
上部の角の領域には、リテーナ６０を挿入するための凹部５８が設けられている。リテーナ６０はコンテナ１８の移動中にウェハを所定の位置に保持するように設計されている。リテーナ６０が凹部５８内に挿入されているときにのみコンテナ１８を引き出せるようにするために、各コンテナ１８はリテーナ６０に連結されるハンドル（図示せず）を有することができる。
【００３２】
図５および図６は、発明によるロボット把持ユニットの実施例を示す。統合グリップアーム１４は第１のグリップアーム２４および第２のグリップアーム２６を有する。第１のグリップアーム２４は垂直な状態のウェハ２０ａを端部で把持できるグリップアームとして設計されている。グリップアーム２４は例えばＣ字型の形状をしており、その外周部においてウェハ２０ａを包囲する。２つのグリップエレメント６４および６６はグリップアーム２４の自由な端部に設けられている。グリップアーム２４は１８０°以上の円弧「α」に沿ってウェハ２０ａを包囲する。したがってグリップエレメント６４，６６は安定した楔迫めを要することなく、実質的に重力だけでウェハ２０ａを保持することができる。ウェハ２０ａをキャリアボックス１８から取り出し、またキャリアボックス１８に配置するために、グリップエレメント６４，６６を開くことができる。この図においてはグリップエレメント６６のみが可動である。
【００３３】
第２のグリップアーム２６は、端部にグリップエレメント６８，７０が設けられているＹ字型のアームを有する。グリップアーム２６はグリップアーム２４とは異なる平面７２においてウェハを保持している。ウェハ２０ｂは平面７２においてグリップエレメント６８，７０によって保持される。グリップアーム２６は自由端部を有し、したがってウェハを取り出すため、またはウェハを配置するためにＦＯＵＰに入ることができる。
【００３４】
グリップアーム２４および２６は統合グリップアーム１４のＬ字型のアームセグメント７４の自由な端部に設けられている。アームセグメント７４は軸７６に沿って旋回することができ、この軸７６はグリップアーム２４が設置されているアームセグメント７４の脚と同軸である。この配置構成により、ウェハ２０ａは垂直の状態でキャリアボックス１８から取り出されて水平の状態にされるので、軸７６に沿った取り出しおよび９０°の回転が可能になる。続いて、統合グリップアームはウェハを水平のステーションに移動させることができる。続いて統合グリップアームはグリップアームを切り替え、グリップアーム２６がウェハを取り出し、ＦＯＵＰに移送する。上記の動作とは逆の動作によってＦＯＵＰからウェハをキャリアボックス１８に運ぶことができる。統合グリップアームはグリップアーム２４および２６を用いてウェハをＦＯＵＰから保管エリアに移動させることができる。
【００３５】
ストッカ１０においては保管されているウェハに無作為にアクセスすることができ、したがってソータは必要とされない。殊に、ロボット把持ユニット１４は任意のコンテナ１８からウェハ２０を選択し、ＦＯＵＰ３２に配置することができる。したがってストッカ１０をＦＯＵＰフロントエンドローダに組み込むことができる。ウェハの垂直状態での保管またそれに伴う高密度の保管配置構成に基づき、ストッカは小さいフットプリントでも高い保管容量を達成することができる。開放式でボックス状のコンテナに個々のウェハが別個に保管されることにより、開放式の保管構成にかかわらず、異なるウェハ２０間の相互汚染は殆ど生じないことが保証される。
【００３６】
図７および図８は本発明によるストッカ８０の実施例を示し、このストッカ８０は環状にロボット把持ユニット８２を包囲する複数のコンテナ８１を有する。ロボット把持ユニット８２は図示されている平面に平行な水平面において放射状に移動できるように、関節アーム８４を備えたＳＣＡＲＡロボットとして表されている。関節アーム８４はコンテナ８１の環状の配置構成を規定する中心点８６について旋回する。したがって関節アーム８４は水平面において、中心点８６について放射状に移動することができ、また回転することができる。関節アーム８４は半径方向においてアーティクル２０をコンテナ８１に配置し、またコンテナ８１から取り出すよう構成されている。
【００３７】
図８は、断面、例えば図９による断面ＶＩＩＩ−ＶＩＩＩに沿ったストッカ８０の平面図を示す。この図においては、環状部の一部にコンテナ８１が設けられていない。その空間に別のロボット把持ユニット９２およびプリアライナ９４を設けることができる。
【００３８】
ロボット把持ユニット８２はウェハをコンテナ８１からプリアライナ９４に移送するために設計されている。さらにロボット把持ユニット８２は、コンテナ８１内に垂直に保管されているウェハを取り出し、ウェハが水平に保管されるプリアライナ９４の位置にするためにウェハを回転させることができる。別のロボット把持ユニット９２はウェハをプリアライナ９４からＦＯＵＰ３２に移送するために使用される。有利には、ロードロックステーション９６がハウジング１２との密閉式の連結部を有しているので、ウェハ２０を汚染無くＦＯＵＰ３２に移送することができる。
【００３９】
別のロボット把持ユニット９２は、プリアライナとＦＯＵＰとの間でウェハを移動させるために中心位置について半径方向に移動可能な関節アームを備えたロボットでよい。
【００４０】
ロードロック搬入／搬出ステーション９６は２つのＦＯＵＰ３２を有することができる。この構成は、２つのＦＯＵＰ３２間でウェハ２０を再配置およびソートするための手段が設けられているソータの機能を提供することができる。
【００４１】
ストッカ保管システムは、保管領域において構成要素、回路および汚染を発生させる別の部分の移動が生じないように設計されている。さらに気流は保管領域に入る前にフィルタリングされ、また保管領域は各ワークピースの表面に層流空気流が生じ、したがって汚染の生成源となる上昇気流が存在しないことを保証する。クリーンな気流はワークピースを通過して、このクリーンな気流の下流側にある保管領域の中心に配置されているロボット把持ユニットへと流れる。したがってロボット把持ユニットの移動によって、ワークピースを通過するクリーンな気流の経路内に粒子が発生することはない。ストッカシステムの作業に関連する他の構成要素は保管ユニットの外部で、ワークピースを通過する気流の下流側に配置されている。
【００４２】
ワークピースから粒子をさらに除去するために、空気がワークピースから出る際に気流を加速させることができる。したがって、出口よりも大きい入口を有する楔形の保管領域が形成されるようにワークピースを配置することができる。気流がワークピースを通過すると、限定的な開口部を通過することによって加速され、したがって粒子は中央の排出領域に向かって流されて除去される。図７および図８に示されている、垂直に配置されているワークピース２０は中心から放射状に配置されており、したがってこれらのワークピースは平行に配置されているのではなく、角度を成すように配置されている。続いて、ワークピース間の隙間に気流を通過させることができる。気流はワークピースを通過し、ロボット把持ユニットのある下流に向かって流れる。
【００４３】
クリーンエア供給ユニットは、フィルタリングされた後にワークピースおよびシステムにわたり一様な気流を供給することができる。保管領域は一様でない気流、乱流または、対称的な体積を有する気流が僅かにしか存在しない、または全く存在しないデッドスペースが最小にされるか排除されるよう設計されており、また気流方向、殊に複数の気流方向および調節換気を漸次的に変化させる。保管領域への汚染物質の移動を最小限にする正の内部圧力を達成するために排気レートを制御することができる。
【００４４】
保管領域に流れる気流を、保管位置の近傍におけるバッフルを介して、種々の独立した複数の気流に分割することができる。相互汚染を最小にするために各気流が１つのワークピースにしか当たらないように気流を制御することができる。ワークピースを通過するようにクリーンな空気を流す循環系の装置によって、ワークピースを汚染する汚染物質がワークピース上に蓄積されることが阻止される。
【００４５】
図９および図１０は、垂直方向におけるコンテナ８１の例示的な配置構成を示す。ロボット把持ユニット８２は、２つのガイドレール８８に沿って垂直方向（ビューレベルに垂直）に移動することによってコンテナ８１の異なる垂直方向の高さを達成することができる。この例示的なストッカにおけるコンテナ８１はクリーンなガスを流すための連結部９０を有する。連結部９０はコンテナ８１の後方に配置されており、したがってクリーンなガスはコンテナ８１の後方から前方に向かって流れる。さらに各連結部９０は選択的な開閉のための弁９１を有することができる。したがって、コンテナに個別にクリーンなガスを流すことができる。
【００４６】
図９は、相互に重なっており、且つロボット把持ユニット８２の周囲に環状に配置されているコンテナ８１を示す。図９において、ウェハ２０はコンテナ１０２内に水平に保管されている。ウェハが水平に保管されているので、ロボット把持ユニット８２はコンテナからウェハ２０を取り出す際、またはコンテナにウェハ２０を配置する際にウェハ２０を回転させる必要はない。ロボット把持ユニット８２は垂直方向における２つの位置、すなわち参照番号８２が付された最上部と参照番号８２’が付された最低部に示されている。
【００４７】
また図９にはクリーンなガス、有利にはフィルタリングされたクリーンな空気をハウジング１２の内部に供給するための送風機およびフィルタユニット１０４が示されている。送風機およびフィルタユニット１０４は周囲の空気を取り込む。取り込まれた空気は浄化および乾燥され、その後にハウジングの内部へと流される。図１０において、浄化された空気は個々のコンテナ１０２の後方にある連結部９０を介して流れる。したがって空気流およびクリーンなガスはコンテナ１０２の後方から、開かれた前方に向かって流れ、その後に下方１０６へと流れる。上述したように、この流れは垂直の保管に対するノズル効果を提供し、したがって浄化効率を高める。良好な流れをこの図に示されているような水平方向での保管によっても達成することができる。択一的に、内側から外側への流れを達成することができる。
【００４８】
ストッカは、垂直方向（上方および下方）に移動可能であり且つ回転するロボットハンドラが設けられている固定のストッカである。ストッカにはアーティクルを保管するための複数の棚が設けられており、またロードロックステーションと固定のストッカとの間でアーティクルを移送するために内向きに配置されている。
【００４９】
図１１および図１３は、発明によるストッカの２つの実施例の平面図を示す。図１１に示されているストッカは平行に配置されているワークピースを有し、したがってワークピースコンパートメントの内側の間隔は外側の間隔よりも狭い。図１３に示されているストッカは放射状に配置されているワークピースを有し、したがってコンパートメントは平行であり、ワークピースは外周部よりも内周部の方が近くなるように配置されている。図１１には、環状に配置されているワークピースにおいて２つの把持アームを備えたロボットが示されており、他方、図１３には把持アームを１つだけ備えたロボットが示されている。ワークピースコンパートメントはシステムコンポーネントを配置することができる角において隔てられる。図１１および図１３に示されているストッカは、保管領域の壁からワークピースを通過してロボット把持ユニットに向かい、さらに排気部に向かって下方へと流れる内向きのクリーンな気流を有する。
【００５０】
一連の送風機はクリーンな空気を水平方向においてラックおよびラックのスロットを通過させ、またワークピースにわたりクリーンな空気を循環させることができる。送風機を上部領域または下部領域に配置することができ、空気は水平方向にワークピースに向かって流れる前に下方または上方へと送られる。気流はラックの近傍において垂直に下方に向かって排出される。閉鎖可能なルーバを介して空気の一部を保管領域の底部の近傍において排出させ、且つ空気の一部を再循環させることができる。
【００５１】
ワークピースを通過する水平方向の気流により、ワークピースおよびワークピースラック上に粒子が残留することが阻止され、また垂直に下方に向かう気流はストッカ保管領域から粒子を除去する。水平方向の気流は有利には、外側からストッカ保管領域の中心に向かって内向きに流れている。通常の場合、外側とはエンクロージャの壁を意味し、したがって粒子が発生することはない。ロボット把持システムはストッカの中心に配置されており、したがってワークピースからの気流の下流側に位置しており、粒子によるワークピースの損傷を阻止する。
【００５２】
気流に関する下向きの経路を生じさせるために、ロボット把持ユニットの中心領域は頂部に空気供給ユニットを有し、且つ底部に排気ユニットを有することができる。気流はワークピースを通過した後にこの下方への流れと合流し、排出ユニットを介して排出される。
【００５３】
図１２および図１４は、発明によるストッカの２つの実施例の側面図を示す。図１２に示されているストッカは水平方向に配置されているワークピースを有し、他方図１４に示されているストッカは垂直に配置されているワークピースを有する。ロボットユニットは粒子の再堆積を回避するためにワークピースの下流側において、下向きの気流が存在するワークピースコンパートメントの中央に配置されている。また気流は外壁からワークピースを通過して流れる。
【００５４】
クリーンな空気はワークピースの近くに位置するフィルタエレメント、「ユースポイント」フィルタを用いてフィルタリングされる。通常の場合、クリーンエア供給システムは複数のファン（または送風機）および複数のフィルタエレメントを有するか、ファンフィルタユニット（ＦＦＵ）を有する。ユニットは生じた空気の圧縮および加速のための調節部または制御部を有することができる。ストッカは、クリーンな空気をフィルタリングし、ストッカ保管領域において循環させ、さらには再循環させ、クリーンな室内環境における系を維持するためのファンフィルタユニットをストッカシステムの頂部または底部に有する。１つの実施例においては、クリーンな空気はファンフィルタユニットから保管領域の外周を介して下方に向かって流れ、保管されているワークピースのスロットに入り、ワークピースからあらゆる粒子を除去する。クリーンな空気は、ワークピースの表面のクリーニングのためにコンパートメントにおけるスロット内に垂直または水平に支持されているワークピースの前面または裏面を通過する。続いて空気は保管領域の中心に向かって下方に流れる。
【００５５】
ファンフィルタユニットは、ストッカ保管領域からロボット把持アセンブリへの気流、またそれに続く周囲の環境へと流れ出る気流を保証するために、周囲の環境に比べて高い圧力をストッカ保管領域内に提供することができる。したがってロボット内のあらゆる粒子、例えばロボットの移動またはメンテナンスに起因して生じた粒子がストッカ保管領域に入り込むことはない。
【００５６】
このように気流の構成では気流がワークピースを一度だけ通過する。したがって、ワークピースを通過する際に気流によって拾い上げられたいずれの粒子も別のワークピースを通過しないので、粒子の再堆積は阻止される。ファンフィルタユニットからのクリーンな空気は単一のワークピースのみを通過し、その後は中央のロボット把持アセンブリの底部を介して排出される。さらには中央領域にロボット把持アセンブリが配置されていることにより、粒子の多くは接触が行われている場所、例えばロボットアームがワークピースと接触している場所、またはワークピースがスロットと接触している場所において生じる。ワークピースの表面を介する気流系は生じた粒子を保管領域内のワークピースから運び去り、また他のワークピースに向かって流すことはない。
【００５７】
択一的な実施形態においては複数のファンフィルタユニットをストッカ内に設けることができ、これによりあるユニットはクリーンな空気を直接的に上部の保管領域に供給し、別のユニットは中部の保管領域に供給し、またさらに別のユニットは下部の保管領域に供給する。ファンフィルタユニットを分けることによりワークピース間の相互汚染を最小限にすることができる。ストッカは、ストッカ保管領域におけるあらゆる所望の方向に気流を配向させるためのバッフルを有することができる。
【００５８】
メンテナンスモードの間に、緊急アクセスのためにエンクロージャが開かれると、空気循環システムは外気がストッカ保管領域内に入り込むことを阻止するためにドアへと流れる外向きの気流を提供する。緊急的にドアが開かれている保管領域内に正圧を提供するために気流の容量が大きいと有利である。ドア開放領域は正圧を保証し、且つ逆流を最小にするために有利には小さい。したがってストッカのドアが開かれると、気流が有利には反転し、空気は外に向かって流れ、外気が保管領域内に入り込むことが阻止される。ワークピース保管領域から外側に向かう気流を保証するために中央の排気部を閉鎖することができる。
【００５９】
さらには、保管領域を清浄度に基づき複数のセクション、例えば非常に高い清浄度で保管するための上段セクション、通常の清浄度で保管するための中段セクションおよび低い清浄度で保管するための下段セクションに分割することができる。それらのセクション間の相互汚染が最小になるように空気の流れを設計することができる。この分離はバッフル、または穴の開いた隔壁、またはエアカーテンにより達成することができる。非常に高い清浄度を有するセクションは、排気率が高く、且つ粒子が殆ど発生しないという理由から排気部近傍の底部に配置することができる。
【００６０】
荷電粒子の引き付けおよび静電放電を阻止するために静電気の増加を抑制する静電気低減アセンブリ、例えばイオン化システムを気流の経路内に付加することができる。ストッカはストッカ保管領域のコンディションを検出するためのアラームを有することができる。例えば、気流センサはアラームを起動するために、弱い気流は存在しないことを検出する。粒子センサは、粒子が限界量を超えたことが検出された場合にアラームを起動することができる。
【００６１】
本発明は、固定のストッカの内側に配置されているロボットアセンブリを包囲している複数のアーティクルを保管することができる固定のストッカを有する、アーティクル搬送および保管システムに関する。
【００６２】
本発明の第２の実施例による保管ユニットは複数のストッカを有し、またそれらのストッカに組み込まれている棚にキャリアを移送するため、または棚からキャリアを移送させるための移送手段も有する。
【００６３】
以下、親出願（特願２００９−５３６８５２）の当初請求項である。
[請求項１]
それぞれが２つの対向する平坦な表面および外周エッジ部を有している複数の平坦基板を保管するストッカにおいて、
前記平坦基板を保持する保管コンパートメントと、
前記基板の前記保管コンパートメントへの移送および前記保管コンパートメントからの移送を行う基板ハンドラとを有し、該基板ハンドラは前記平坦な表面にまで延びることなく前記外周エッジ部を用いて基板を把持することを特徴とする、ストッカ。
[請求項２]
前記平坦基板が垂直に保管されている、請求項１記載のストッカ。
[請求項３]
前記平坦基板が水平に保管されている、請求項１記載のストッカ。
[請求項４]
２つの隣接する基板の間隔は５ｍｍ以下である、請求項１記載のストッカ。
[請求項５]
２つの隣接する基板の間隔は２．５ｍｍ以下である、請求項１記載のストッカ。
[請求項６]
前記平坦な表面にまで延びることのない前記外周エッジ部を用いた基板の把持は、前記基板間の隙間を前記基板ハンドラから独立させる、請求項１記載のストッカ。
[請求項７]
前記基板ハンドラは前記外周エッジ部を用いて前記基板を保持する爪状の先端部を有する、請求項１記載のストッカ。
[請求項８]
前記基板ハンドラは１８０°以上の角度で前記基板を把持する、請求項１記載のストッカ。
[請求項９]
前記保管コンパートメントは１８０°を下回る角度で張られている複数の把持ポイントにおいて前記基板を把持している、請求項１記載のストッカ。
[請求項１０]
前記ストッカは前記基板ハンドラを包囲する複数の保管コンパートメントを有する、請求項１記載のストッカ。
[請求項１１]
前記ストッカは垂直方向に配置されている複数の保管コンパートメントを有する、請求項１記載のストッカ。
[請求項１２]
それぞれが２つの対向する平坦な表面および外周エッジ部を有している複数の平坦基板を保管するストッカにおいて、
前記平坦基板を垂直に保持する保管コンパートメントを有し、
前記基板の前記保管コンパートメントへの移送および前記保管コンパートメントからの移送を行う基板ハンドラを有し、該基板ハンドラは前記平坦な表面にまで延びることなく前記外周エッジ部を用いて基板を把持し、
前記保管コンポーネントに基板を提供するロードポートを有し、該ロードポートは水平に基板を保持し、該ロードポートにおいて前記基板ハンドラは前記基板にアクセス不可能であり、
基板を受け取るスワッピングモジュールを有し、該スワッピングモジュールにおいて前記基板ハンドラは前記基板を把持することを特徴とする、ストッカ。
[請求項１３]
前記基板ハンドラは前記ロードポートにおいて前記基板を把持するためのエンドエフェクタを有する、請求項１２記載のストッカ。
[請求項１４]
前記スワッピングモジュールは基板支持部を有する、請求項１２記載のストッカ。
[請求項１５]
２つの隣接する基板の間隔は２．５ｍｍ以下である、請求項１２記載のストッカ。
[請求項１６]
前記平坦な表面にまで延びることのない前記外周エッジ部を用いた基板の把持は、前記基板間の隙間を前記基板ハンドラから独立させる、請求項１２記載のストッカ。
[請求項１７]
前記基板ハンドラは前記外周エッジ部を用いて前記基板を保持する爪状の先端部を有する、請求項１２記載のストッカ。
[請求項１８]
それぞれが２つの対向する平坦な表面および外周エッジ部を有している複数の平坦基板を保管する方法において、
基板ハンドラによって基板を相互に実質的に平行に保管し、
前記基板ハンドラによって前記基板を搬送し、
前記基板ハンドラは前記平坦な表面にまで延びることなく前記外周エッジ部を用いて前記基板を把持し、
前記平坦な表面にまで延びることのない前記外周エッジ部を用いた基板の把持により、前記基板間の隙間を前記基板ハンドラから独立させることを特徴とする、複数の平坦基板を保管する方法。
[請求項１９]
前記平坦な表面にまで延びることのない前記外周エッジ部を用いた基板の把持により、前記基板間の隙間を前記基板ハンドラから独立させる、請求項１８記載の方法。
[請求項２０]
前記基板ハンドラは前記外周エッジ部を用いて前記基板を保持する爪状の先端部を有する、請求項１８記載の方法。
【図１】
2014033222.tif 000003
【図２】
2014033222.tif 000004
【図３】
2014033222.tif 000005
【図４】
2014033222.tif 000006
【図５】
2014033222.tif 000007
【図６】
2014033222.tif 000008
【図７】
2014033222.tif 000009
【図８】
2014033222.tif 000010
【図９】
2014033222.tif 000011
【図１０】
2014033222.tif 000012
【図１１】
2014033222.tif 000013
【図１２】
2014033222.tif 000014
【図１３】
2014033222.tif 000015
【図１４】
2014033222.tif 000016
【外国語明細書】
2014033222.tif 000017
2014033222.tif 000018
2014033222.tif 000019
2014033222.tif 000020
2014033222.tif 000021
2014033222.tif 000022
2014033222.tif 000023
2014033222.tif 000024
2014033222.tif 000025
2014033222.tif 000026
2014033222.tif 000027
2014033222.tif 000028
2014033222.tif 000029
2014033222.tif 000030
2014033222.tif 000031
2014033222.tif 000032
2014033222.tif 000033
2014033222.tif 000034
2014033222.tif 000035
2014033222.tif 000036
2014033222.tif 000037
2014033222.tif 000038
2014033222.tif 000039
2014033222.tif 000040
2014033222.tif 000041
2014033222.tif 000042
2014033222.tif 000043
2014033222.tif 000044
2014033222.tif 000045
2014033222.tif 000046
2014033222.tif 000047
2014033222.tif 000048
2014033222.tif 000049
2014033222.tif 000050
2014033222.tif 000051
2014033222.tif 000052